(57)【要約】【課題】  本発明の目的は、利用者の金額承認の状況に応じてシャッタの開閉を行い、防犯性を保ち、現金の管理を厳密に行うことが出来る現金取扱装置を提供する。【解決手段】  紙幣収納機構は計数処理を行う上ユニットと紙幣を保管する下ユニットで構成し、上ユニットに入金する紙幣を一時集積する一時保留部に設けられた開閉可能な一時保留トレイと、下ユニットにおいては金庫状の被覆部材で覆うと共に開閉可能なセキュリティ用のシャッタを設け、更に入金する紙幣を受け付ける紙幣保管庫に設けられた自動もしくは手動で開閉可能な紙幣保管庫シャッタを配置する。【選択図】図１
2007034869.tif 000002
【特許請求の範囲】
【請求項１】
紙幣投入口に投入された紙幣を紙幣保管部に収納する紙幣収納機構において、
入金された紙幣を保留トレイ上に一時集積する一時保留部と、
該一時保留部に集積された紙幣を開口部から収納し、当該開口部に設けられた紙幣保管庫シャッタを具備する紙幣保管庫と、
前記一時保管庫と前記紙幣保管庫とを区切るセキュリティシャッタと、
制御部とを有し、
前記一時保留庫に集積された紙幣を前記紙幣保管庫に収納するとき、前記制御部は、前記保留トレイ及び前記紙幣保管庫シャッタ及び前記セキュリティシャッタとを開状態にすることを特徴とする紙幣収納機構。
【請求項２】
請求項１記載の紙幣収納機構において、
前記制御部は、前記保留トレイと前記セキュリティシャッタとの開閉を別に駆動制御することを特徴とする紙幣収納機構。
【請求項３】
請求項１記載の紙幣収納機構において、
前記紙幣保管庫は、紙幣収納ガイドと、上下に移動し紙幣を集積する紙幣収納台とを有し、
前記セキュリティシャッタの開状態に連動して前記紙幣収納ガイドは起立し、前記セキュリティシャッタの閉状態に連動して前記紙幣収納台に集積された紙幣の上端を押さえるよう倒れ込むことを特徴とする紙幣収納機構。
【請求項４】
請求項１記載の紙幣収納機構において、
前記紙幣保管庫は、上下に移動し紙幣を集積する紙幣収納台を有し、
前記制御部は、紙幣保管庫シャッタを開状態にし、
前記紙幣収納台を前記セキュリティシャッタの下に上昇させて前記セキュリティシャッタを開状態にし、その後前記保留トレイを開状態にして当該保留トレイに集積された紙幣を前記紙幣収納台に受け渡すことを特徴とする紙幣収納機構。
【発明の詳細な説明】
【技術分野】
【０００１】
本発明は、投入された紙幣を１枚ずつ繰出し判別結果により一時保留部、リジェクト収納部へ搬送した後、一時保留した紙幣を紙幣保管庫へ収納及び利用者へ返却する紙幣搬送／収納技術に関する。
【背景技術】
【０００２】
小売店等などの店舗内に設置し、その店舗の売上げを入金する入金機などに搭載されている紙幣収納機構は、通常、紙幣投入部に投入される紙幣を１枚ずつ繰出し、識別結果により一時保留部、リジェクト収納部へ搬送した後、一時保留した紙幣を紙幣保管庫へ収納および利用者へ返却する機構を有している。例えば特許文献１は一時保留した紙幣を紙幣保管庫へ収納する構成を開示するが、入金する紙幣を一時集積する一時保留部と入金紙幣を収納する紙幣保管部を前面に配置しているようになっている。
【０００３】
【特許文献１】特開２００１−６７５２６号公報
【発明の開示】
【発明が解決しようとする課題】
【０００４】
従来は指定された金額のみを入金処理する構成であるが、装置を構成する部位に関しては、入金する紙幣を集積する一時保留部を上ユニットに、入金する紙幣を収納する保管部を下ユニットに配し、一時保留部に設けられた保留トレイを開くことにより上ユニットと下ユニットを繋ぐ構成になっている。しかし本構成によると一時保留部に集積された紙幣を収納部へ送るためには収納部上部は常に開き状態となっていなければならない為、防犯上好ましくない。
【０００５】
本発明の目的は、利用者の金額承認の状況に応じてシャッタの開閉を行い、防犯性を保ち、現金の管理を厳密に行うことが出来る現金取扱装置を提供することにある。
【課題を解決するための手段】
【０００６】
本発明においては、紙幣収納機構は計数処理を行う上ユニットと紙幣を保管する下ユニットで構成し、上ユニットに入金する紙幣を一時集積する一時保留部に設けられた開閉可能な一時保留トレイと、下ユニットにおいては金庫状の被覆部材で覆うと共に開閉可能なセキュリティ用のシャッタを設け、更に入金する紙幣を受け付ける紙幣保管庫に設けられた自動もしくは手動で開閉可能な紙幣保管庫シャッタを配置するように構成したものである。
【０００７】
また、一時保留部に設けられた保留トレイとセキュリティ用のシャッタおよび紙幣保管庫シャッタを別々の駆動元とすることにより、防犯性を高めた構成である。
【発明の効果】
【０００８】
本発明において紙幣収納部上部にセキュリティシャッタを設けることにより紙幣を収納する下ユニットを金庫状に被覆部材で覆い、開閉機構を紙幣収納動作以外は閉じた状態とすることができる。
【０００９】
またこの待機状態においては被覆部材で覆われた状態となるため利用者の承認のもと収納され管理責任を負うことになった紙幣を厳重に保管することが可能となる。
【００１０】
また施錠権利を持つ上位管理職者や警備保障会社以外の利用者が保管庫内の紙幣を取り出すことが不可能とすることができ防犯性を保てるものである。
【発明を実施するための最良の形態】
【００１１】
以下、本発明の一実施の形態について図面を用いて説明する。
【実施例１】
【００１２】
図２は本発明の紙幣収納機構を搭載する入金機１を示す。この入金機１は小売店や飲食店などの店舗内に設置され、売上金など紙幣又は硬貨を入金、保管することを目的とした収納装置でもある。入金機１は主に紙幣・硬貨の計数処理を行う現金処理機構部２（単に、搬送ユニット１１とも言う）と、計数が終了した紙幣・硬貨を収納する保管部３とで構成される。保管部３は例えば金庫であり、施錠可能な扉を開閉してその中に紙幣カセット６１、硬貨カセット６１'を収容する構成であり、現金を収納したカセット６１，６１'の防犯を確保している。本体制御部（単に制御部）７はＣＰＵ、メモリ等のハード構成からなり、後述の搬送ユニット１１内での紙幣搬送、紙幣カセット６１のシャッタ等を制御する。なお、各口２２，３２，４２は図１にて説明する。
【００１３】
また保管部３に金庫と同等の防犯性を持たせている。即ち、紙幣や硬貨を収納した紙幣カセット６１や硬貨カセット６１'を、構造的に強固で扉を備えた金庫状の保管部３内に収容する構成としている。これは本実施例にかかる、入金機の運用形態による。以下に、その理由を説明する。
【００１４】
通常、金融機関等に設置された自動取引装置（ＡＴＭ）を操作する人には、入出金を行う利用者、金庫内に紙幣を詰め込みまたは取り出す係員、および保守を行う保守員のようにそれぞれＡＴＭを取り扱う権限が分かれている。利用者は入出金口に入金紙幣を投入し、または出金される紙幣を受け取るだけであり、ＡＴＭ内に発生したジャム状態の紙幣を取り扱うことが出来ない。これに対して、係員はＡＴＭ内にある紙幣全体を取り扱うことが出来る。例えば紙幣のジャムが発生したＡＴＭでは、ジャムとなった紙幣は取引の進行状態（金額の承認有無など）に応じて、係員が利用者の所有物か装置の所有物かの判別を行う。このように、利用者はＡＴＭの外部からしか操作が出来ないので、ジャムなどの障害が発生した場合でもＡＴＭ内の紙幣には触ることが出来ず、ＡＴＭ内部の紙幣の取り扱いは管理責任のある係員だけに限られ、このようにして紙幣のセキュリティが保たれている。
【００１５】
しかし、入金機（装置）の場合には、装置の設置条件、例えばコンビニの店舗内に設置されるなどの条件から金融機関の係員は装置の近くには居ない。このため、入金金額の承認が終わる前にジャムなどの障害が発生した場合には、利用者がジャムで止まった装置内部の紙幣を取り扱う為、装置内部において利用者の所有物と装置の所有物を構造的にしっかりと区別する必要がある。
【００１６】
そこで、利用者の承認が完了した紙幣が収納されている紙幣カセット６１を厳重に保護する為、紙幣カセット６１を金庫である保管部３内に収納して施錠する。この結果、利用者は金額の承認前の紙幣については、ジャムなどで装置内部に止まった紙幣は搬送ユニット１１から簡単に取り出すことが出来る。しかし承認が完了して紙幣カセット６１に収納した紙幣に触ることは出来ない。承認が完了した紙幣を触ることが出来るのは、紙幣カセットを取り出すための鍵を持った金融機関の係員だけとなり、装置の所有物である紙幣カセット６１内の紙幣の防犯性が保たれる。
【００１７】
次に図１、図３、図４を参照して入金機１の構成について説明する。図１は図２の現金処理機構部２と紙幣カセット６１の内部構成を図示し、硬貨カセット６１’を省略する。図示するように、搬送ユニット１１の前面には入金する紙幣を挿入する紙幣投入口２２とリジェクトされた紙幣を取り出すリジェクト取出口３２、返却された紙幣を取り出す返却口４２を配置する。紙幣投入口２２、リジェクト取出口３２及び返却口４２の奥には上面・下面・左面・右面・奥面を図示しない規制板により紙幣サイズに合わせた寸法で形成する紙幣受付部２１・リジェクト収納部３１及び一時保留部４１を配置している。また、リジェクト取出口３２と返却口４２はそれぞれ扉３３と返却扉４３を有し、扉３３は手動で開閉を行い、返却扉４３は図示しない電磁ロックにより任意のタイミング以外は開くことができないようにロックを掛ける構造となっている。返却口４２に配置した返却扉４３は、外面を金属性の被覆部材で完全に覆い返却扉４３を自動で開くことで一時保留部４１に集積した紙幣の取り出しが可能となる。
【００１８】
紙幣投入口２２から投入された紙幣は、紙幣受付部２１から繰り出しローラにて繰り出され、操出搬送路５１を搬送されて紙幣判別部５にて紙幣の金種、真偽が判別される。この判別にて、リジェクト紙幣はリジェクト収納部３１へ、正しい紙幣は一時保留部４１へそれぞれ搬送される。つまり、判別搬送路５２上の切替ゲート５５にて切り替えられ、各々リジェクト搬送路５３、保留搬送路５４を通ってそれぞれ収納される。
【００１９】
図３は一時保留部４１と紙幣カセット６１の上部との詳細を示している。このうち、一時保留部を中心に説明する。
一時保留部４１は一時保留部４１の入口に下送込みローラ４８と上送込みローラ４９を配し紙幣を一時保留部４１内に送込む。上下送込みローラにより一時保留部４１に送込まれた紙幣Ｓ１の先端がストッパ４４に衝突すると、紙幣後端を弾性体のシートを放射状に配した保留収納ローラ４６で下方へ押し下げ紙幣を保留トレイ４５の上へ集積する。また複数枚の紙幣を収納する際には保留トレイ４５の上に集積した集積済み紙幣Ｓの上に順次集積していく。
集積が完了した後、集積済み紙幣Ｓを収納する場合には収納動作の間一時保留部４１の上部に退避位置４７ａに退避していた収納レバー４７を集積済み紙幣Ｓの上に降下し（４７ｂ）、自重もしくはばね力により集積済み紙幣Ｓを上から押さえつけた状態のまま保留トレイ４５が紙幣を集積する位置４５ａから図示しない保留トレイの駆動モータにより退避位置４５ｂの位置に移動する。
【００２０】
紙幣判別部５による紙幣計数が完了し、それを利用者が承認すると、集積済み紙幣Ｓを収納レバー４７の押さえ力により下方の４７ｃの位置まで下降し紙幣を紙幣カセット６１の内部まで落下させる。この紙幣落の下動作において収納レバー４７を紙幣の落下に対して追従させることで紙幣の落下の際、収納レバー４７の力が常時紙幣に掛かるため紙幣の引っ掛かりや斜めに落下すること等の原因で発生する落下不良を防止し、安定した紙幣落下性能が確保できる。
【００２１】
また、紙幣の計数が完了した後、利用者が返却を選択すると返却扉４４のロック機構を解除しばね力等により返却扉４１を自動で開けると共にストッパ４４も返却扉４４と連動して倒すことで一時保留部４１内の集積済み紙幣Ｓを利用者が取り出し可能な状態にし集積済み紙幣Ｓの返却を行う。
【００２２】
次に紙幣カセット６１を中心に説明する。図１，３に図示するように、紙幣カセット６１を搬送ユニット１１の下側前面に配置している。また、紙幣カセット１１は装置側の装填部６４にセットするとロック機構６３により固定されるが、ロック機構６３のロック解除により取り外しができる着脱可能な構造になっている。
【００２３】
紙幣カセット６１は図４に示す様に上面に自動ないし手動で開閉可能な紙幣保管庫シャッタ６５を有している。紙幣保管庫シャッタ６５は紙幣カセット６１を取り外した状態ではカセット内のロックにより開かないが紙幣カセット６１を装填部６４にセットすると前記ロックが解除され自動ないし手動にて開く構成を採っている。紙幣カセット６１は装填部６４にセットし紙幣保管庫シャッタ６５を開けることで上面から保管部６６に紙幣を収納する。図１、３の図示のとおり、保管部６６に設けた上下方向に可動する紙幣収納台６２の上に紙幣を縦に積み上げて収納する。また、紙幣カセット６１は紙幣保管庫シャッタ６５を閉め保管部６４から取り外した状態では上下面・左右面・前後面が閉じた状態となり金庫性を確保でき、取っ手６７を持つことで持ち運びが容易になる。紙幣カセット６１は取り外し状態のとき前面扉６８を開けることで保管部６６が大きく開き、保管部６６に収納した紙幣の取り出しが容易であり紙幣の回収作業が迅速に行える。
【００２４】
また、図１，３にあるように、搬送ユニット１１と紙幣カセットの間にはセキュリティシャッタ７１を配置している。セキュリティシャッタ７１は前後方向にスライドで開閉動作を行い、開状態では搬送ユニット１１の一時保留部４１で一時保留した紙幣を紙幣カセット６１へ受け渡すことができる。逆に、セキュリティシャッタ７１が閉状態の際には紙幣カセット６１の上部を覆い、紙幣カセット６１はセキュリティシャッタ７１と入金機１の筐体金庫部２に覆われセキュリティ性を確保できる。また、セキュリティシャッタ７１はモータの駆動力により前後方向に動作し自動で開閉動作を行い、搬送ユニット１１から紙幣カセット６１へ紙幣を受け渡す時のみ開状態にするといった任意のタイミングでの開閉管理が可能である。
【００２５】
紙幣入金機（紙幣収納機構）は、利用者により紙幣受付部２１にセットされた紙幣を計数する計数処理機能と計数した結果利用者の承認の元に紙幣カセット６１に収納する入金収納処理を有する。この収納処理の動作を図８のフロー図を用いて、図１，３により説明する。
【００２６】
入金収納処理は、利用者が入金する紙幣を紙幣投入口２２から紙幣を投入し、紙幣を計数後、一旦、保留部４１に集積し、利用者は、表示部の計数結果を確認し計数した紙幣の入金を行うか取消をするかの選択を行う（ステップＳ１１１）。計数した紙幣の入金を行う場合（ステップＳ１１１ａ）、承認キーを押下することにより（ステップＳ１１２）、本体制御部７からの収納処理指示により収納動作を始める（ステップＳ１１３〜Ｓ１２６）。
【００２７】
紙幣収納機構１０は、紙幣保管庫シャッタ６５を自動または手動にて６５ｂの位置にて開状態にしておき（ステップＳ１１３）、紙幣収納台６２をセキュリティシャッタ７１の直下まで上昇、待機させておき（ステップＳ１１４）、セキュリティシャッタ７１を７１ａの位置から７１ｂの位置に移動させる（ステップＳ１１５）。このとき収納部シャッタ６５およびセキュリティシャッタ７１に連動する紙幣収納部６１に設けられた紙幣収納ガイド６９が起立する（ステップＳ１１６）。
【００２８】
次に収納レバー４７を一時保留部４１に集積した紙幣Ｓの上に降下させた後（ステップＳ１１７）、紙幣収納台６２を保留トレイ４５直下まで上昇させ（ステップＳ１１８）、保留トレイ４５を４５ａ位置から４５ｂ位置に移動させる（ステップＳ１１９）。これにより、紙幣を紙幣収納台６２に受け渡す（ステップＳ１２０）。収納レバー４７が紙幣を押圧したまま（４７ｂ、４７ｃ）、紙幣収納台６２をセキュリティシャッタ７１直下まで降下させ（ステップＳ１２１）、紙幣カセット６１内に収納する。紙幣カセット６１への収納動作が終了すると収納レバー４７を４７ａに退避した後（ステップＳ１２２）、セキュリティシャッタ７１を７１ｂ位置から７１ａ位置まで移動させる（ステップＳ１２３）。このときセキュリティシャッタ７１に連動する紙幣収納ガイド６９が点線にあるように倒れこみ、紙幣Ｓを上部から押さえる（ステップＳ１２４）。更に紙幣保管庫シャッタ６５を閉動作させ（ステップＳ１２５）、一時保留部の保留トレイ４５が４５ｂから４５ａ位置まで移動する（ステップＳ１２６）。そして、収納金額を表示部に表示し（ステップＳ１２７）、入金収納処理を終了する。
【００２９】
また、計数した紙幣の返却を選択する場合（ステップＳ１１１ｂ）、利用者は操作部の取消キーを押下する（ステップＳ１３１）。本体制御部７の指示により返却扉４３を自動で開き利用者が一時保留部４１に集積した紙幣を取り出し可能な状態にし（ステップＳ１３２）、利用者が紙幣を取り出し返却扉４３を手動で閉じると処理を終了する（ステップＳ１３３）。
【００３０】
この様に本発明の紙幣収納機構は強固な防犯性を考慮した上で、確実な入金収納動作を実現するものである。なお、上述の説明でもあるが、セキュリティシャッタ７１の開閉動作に応じて紙幣収納ガイド６９が連動して実線、点線のとおり起立、倒れこむことも特徴の一つである。また保留トレイ４５、セキュリティシャッタ７１、紙幣保管庫シャッタ６５のそれぞれ独立に駆動することも特徴の一つである。
【００３１】
以上の説明によれば、紙幣を収納する紙幣カセット６１を保管部３内に装填し、かつ紙幣をカセットに収納するとき以外はセキュリティシャッタ７１閉じた状態にしている。また紙幣保管庫シャッタ６５に自動開閉機構を設けることで、現金管理の防犯性が確保される。紙幣の収納動作時以外の待機状態では、金庫としての保管部３の機能とセキュリティシャッタ７１の閉状態によって紙幣を厳重に保管することができる。よって、保管部３の施錠権限を持つ上位管理者や警備保障会社以外の利用者（例えば店員）が保管部３および紙幣カセット６１内の紙幣を取り出すことが不可能となる。これにより現金の防犯性を確保できる。しかもセキュリティシャッタ７１および収納部シャッタ６５に連動する紙幣ガイド６８を設けることで確実な収納動作を行える。
【図面の簡単な説明】
【００３２】
【図１】紙幣入金機（紙幣収納機構）の一実施例を示す概略側面図
【図２】紙幣収納機構を搭載する入金機の一実施例を示す概略図
【図３】紙幣収納機構の一時保留部、紙幣カセット上部の詳細側面図
【図４】紙幣カセットの概略図
【図５】紙幣収納機構の入金収納処理の概略の流れを示す動作フロー
【符号の説明】
【００３３】
１０…紙幣収納機構、１１…搬送ユニット、２１…紙幣受付部、２２…紙幣投入口、３１…リジェクト収納部、３２…リジェクト取り出し口、３３…扉、４１…一時収納部、４２…返却扉、４３…返却扉、４４…ストッパ、４５…一時保留トレイ、５０…紙幣搬送路、５１…繰出し搬送路、５２…判別搬送路、５３…リジェクト搬送路、５４…保留搬送路、５５…切替ゲート、６１…紙幣カセット、６１'…硬貨カセット、６２…紙幣収納台、６３…ロック機構、６４…装填部、６５…紙幣保管庫シャッタ、６６…保管部、６７…取っ手、６８…前面扉、６９…紙幣収納ガイド、７１…セキュリティシャッタ
【図１】
2007034869.tif 000003
【図２】
2007034869.tif 000004
【図３】
2007034869.tif 000005
【図４】
2007034869.tif 000006
【図５】
2007034869.tif 000007